(57)【要約】【課題】操作ボタンやリモコン受光部などの取付け作業を軽減でき、部品点数を低減できてコストの低減を図ることができるようにする。【解決手段】フラットパネルディスプレイ装置のフロントパネル２の裏側には、液晶などの表示機構収納筐体７とともに、コントロール部９が設けられている。このコントロール部９は操作ボタンユニット１０とこれと一体のコントロール基板１１とからなり、この操作ボタンユニット１０に電源ボタンなどの各種操作ボタンが設けられ、コントロール基板１１には、かかる操作ボタンの操作によって動作するボタンスイッチやリモコン受光部，明るさセンサなどが設けられているとともに、これらからの配線が接続される単一のコンセントが設けられている。また、表示機構収納筐体７上の信号処理基板１２から操作ボタンやリモコン受光部への配線が単一のプラグに接続され、このプラグがコントロール基板１１上のコンセントに接続される。【選択図】図１
2010206627.tif 000002
【特許請求の範囲】
【請求項１】
表示画面が設けられたフロントパネルに各種の操作ボタンやリモコン受光部を設け、ボタン操作による各種の制御・調整やリモコン操作による各種の制御・調整を行なうことができるようにしたフラットパネルディスプレイ装置において、
該各種の操作ボタンや該リモコン受光部が設けられた単一のコントロール部が該フロントパネルの所定の場所に配置され、
該各種の操作ボタンと該リモコン受光部から信号処理基板への信号線を該コントロール部からまとめて配線する構成としたていることを特徴とするフラットパネルディスプレイ装置。
【請求項２】
請求項１において、
前記各種の操作ボタンは、ケース状をなす操作ボタンユニットに設けられ、
前記リモコン受光部は、該操作ボタンユニットと同一のコントロール基板に設けられ、
該コントロール基板が該操作ボタンユニットに差し込み固定された状態で、該コントロール基板と該操作ボタンユニットとを前記フロントパネルの前記所定の場所に配置し、該コントロール基板を前記フロントパネルに掛止手段によって固定することにより、該コントロール基板と該操作ボタンユニットとを同時に前記フロントパネルに固定掛止することを特徴とするフラットパネルディスプレイ装置。
【請求項３】
請求項２において、
前記コントロール基板に前記各種の操作ボタンと前記リモコン受光部との信号線が接続された単一のコンセントが設けられ、
前記フロントパネルに設けられている信号処理基板からの前記各種の操作ボタンと前記リモコン受光部毎の信号線が接続された単一のプラグを該コンセントに接続可能としたことを特徴とするフラットパネルディスプレイ装置。
【請求項４】
請求項３において、
前記コントロール部に、周囲の明るさを検出する明るさセンサが設けられ、
該明るさセンサの信号線が前記コンセントに接続され、前記信号処理基板からの該明るさセンサの信号線が前記プラグに接続されていることを特徴とするフラットパネルディスプレイ装置。
【請求項５】
請求項１〜４のいずれか１つにおいて、
前記各種の操作ボタンは、前記フロントパネルの前記表示画面が設けられた前面に隣接する面から突出して設けられていることを特徴とするフラットパネルディスプレイ装置。
【発明の詳細な説明】
【技術分野】
【０００１】
本発明は、液晶パネルやプラズマパネルなどの薄型でフラットなパネルを備えたフラットパネルディスプレイに係り、特に、その操作ボタンやリモコン受光部，明るさセンサ，ＬＥＤ（発光ダイオード）などの配置に関する。
【背景技術】
【０００２】
最近では、テレビ放送番組を受信するテレビ受像機としては、表示画面に液晶やプラズマを用いた薄型でフラットなパネル（即ち、フラットパネル）を用いたものが一般的となっている。
【０００３】
かかるテレビ受像機では、そのフラットパネルにリモートコントローラ（以下、リモコンという）からのその操作に伴う赤外線を受光するリモコン受信部が設けられ、リモコンの操作に伴って受像機での各種の制御や調整ができるようにしているが、これとともに、このフラットパネルディスプレイ装置に電源ボタンやチャンネル切り替え，音量調整，画面の明るさ調整などの各種の制御，調整をするための操作ボタンなども設けられ、かかる操作ボタンの操作によっても、かかる各種の制御，調整をすることができるようにしている。
【０００４】
従来では、かかるリモコン受光部や各種の操作ボタンは、パネルの別々の場所に設けられていたが（例えば、特許文献１参照）、これらをまとめて配置するようにした技術も提案されている。
【０００５】
この一例としては、電源ボタンを透明な樹脂で構成し、この電源ボタンを押し込むことによって電源スイッチが切り替わるようにするものであるが、リモコン受光部がこの透明な電源ボタンを通してリモコンからの赤外線を受光できるようにした技術も提案されている（例えば、特許文献２参照）。
【０００６】
また、他の例として、チャンネル切り替えや画質調整用などの操作ボタンをキャビネットの窪み部に設置し、この窪み部にドアを設け、このドアを開くことにより、かかる操作ボタンを操作可能とし、また、ドアを閉じることにより、かかる操作ボタンが隠蔽されて見えないようにした技術も提案されている（例えば、特許文献３参照）。
【０００７】
さらに、他の例としては、電源ボタンや音量調整ボタンなどの操作部がテレビセットで移動可能に設けられており、この操作部をテレビセットから前方に引き出すことによって使用可能とし、使用しないときには、テレビセットに設けられたホルダ内に押し込むようにした技術も提案されている（例えば、特許文献４参照）。
【先行技術文献】
【特許文献】
【０００８】
【特許文献１】特開２０００−２４４８４５号公報
【特許文献２】特開２００１−２６６６９３号公報
【特許文献３】特開２００８−２５２４３２号公報
【特許文献４】特開２００９−３８４６０号公報
【発明の概要】
【発明が解決しようとする課題】
【０００９】
ところで、上記の特許文献２に記載の技術では、電源ボタンとリモコン受光部とを近接した位置に配置するものであるが、夫々の取付け作業や配線の設置作業が必要となるし、また、他の操作ボタンについては、上記の特許文献１に記載の従来技術のように、別々の場所に設置されるものであろうから、これらについても別々の取付け作業や配線の設置作業が必要となり、作業に手間がかかるものとなる。
【００１０】
また、上記の引用文献２，３に記載の技術では、各種操作スイッチが近接して配置されることになるが、夫々の操作ボタンを移動させるための機構を必要として、構成が複雑なものとなるし、移動機構が故障したときには、全ての操作ボタンを使用することができなくなるし、また、操作ボタンごとに信号処理基板との配線作業が必要となる。しかも、リモコン受光部などは操作ボタンと別の場所に設置されなければならないものであるから、かかるリモコン受光部のための取付け作業や配線作業が必要となる。
【００１１】
このように、従来のフラットパネルディスプレイ装置では、操作ボタンやリモコン受光部など毎に取付け作業や配線作業が必要となり、その設置のための作業に手間が掛かるという問題があった。しかも、操作ボタンやリモコン受光部など毎に基板が必要となり、部品点数が多くなってコストの面でも問題があった。
【００１２】
本発明の目的は、かかる問題を解消し、操作ボタンやリモコン受光部などの取付け作業を軽減でき、部品点数を低減できてコストの低減を図ることができるようにしたフラットパネルディスプレイ装置を提供することにある。
【課題を解決するための手段】
【００１３】
上記目的を達成するために、本発明は、表示画面が設けられたフロントパネルに各種の操作ボタンやリモコン受光部を設け、ボタン操作による各種の制御・調整やリモコン操作による各種の制御・調整を行なうことができるようにしたフラットパネルディスプレイ装置において、各種の操作ボタンや該リモコン受光部が設けられた単一のコントロール部が該フロントパネルの所定の場所に配置され、該各種の操作ボタンと該リモコン受光部から信号処理基板への信号線を該コントロール部からまとめて配線する構成としたことを特徴とする。
【００１４】
また、本発明は、各種の操作ボタンが、ケース状をなす操作ボタンユニットに設けられ、リモコン受光部は、操作ボタンユニットと同一のコントロール基板内に設けられ、コントロール基板が操作ボタンユニットに差し込み固定された状態でコントロール基板と操作ボタンユニットとを共に、フロントパネルの所定の場所に配置し、コントロール基板をフロントパネル側のネジ止め部にネジなどを用いて掛止することにより、同時に操作ボタンユニットをも共に係止することを特徴とする。
【００１５】
さらに、本発明は、コントロール基板に各種の操作ボタンとリモコン受光部との信号線が接続された単一のコンセントが設けられ、フロントパネルに設けられている信号処理基板からの各種の操作ボタンとリモコン受光部毎の信号線が接続された単一のプラグをコンセントに接続可能としたことを特徴とする。
【００１６】
さらに、本発明は、コントロール部に、周囲の明るさを検出する明るさセンサが設けられ、明るさセンサの信号線がコンセントに接続され、信号処理基板からの該明るさセンサの信号線が上記のプラグに接続されていることを特徴とする。
【００１７】
さらに、本発明は、各種の操作ボタンが、フロントパネルの表示画面が設けられた前面に隣接する側面から突出して設けられていることを特徴とする。
【発明の効果】
【００１８】
本発明によると、操作ボタンやリモコン受光部の取り付けなどに用いる部品を共通にすることができて、部品点数を大幅に低減することができるし、これら操作ボタンやリモコン受光部などの取り付け作業やこれらからの信号処理基板への配線作業も同時に行なうことができて、組立て作業の作業量を大幅に低減することができる。
【図面の簡単な説明】
【００１９】
【図１】本発明におけるフラットパネルディスプレイ装置の一実施形態の正面図である。
【図２】図１でのフロントパネルを形成する前枠の内側における各部品の配置を概略的に示す平面図である。
【図３】図２におけるコントロール部の一具体例の概略構成を示す斜視図である。
【図４】図３におけるコントロール基板の一具体例を示す平面図である。
【図５】図３における操作ボタンユニットの一具体例を示す外観斜視図である。
【図６】図５（ｂ）の分断線Ａ−Ａに沿う断面図である。
【図７】図２におけるコントロール部でのコントロール基板と操作ボタンユニットとの係止状態を示す図である。
【発明を実施するための形態】
【００２０】
以下、本発明の実施形態を、図面を用いて説明する。  
図１は本発明におけるフラットパネルディスプレイ装置の一実施形態の正面図であって、１はフラットパネルディスプレイ装置、２はフロントパネル、３は表示画面、４はボタン操作部、５はリモコン受光窓、６は明るさ検出窓、７は発光窓である。
【００２１】
同図において、液晶表示画面，プラズマ表示画面などの表示画面３が設けられたフラットパネルディスプレイ装置１のフロントパネル２が形成する前枠の所定の場所、ここでは、左下角部の小さいエリア内に、ボタン操作部４やリモコン受光窓５，明るさ検出窓６，発光窓７が設けられている。
【００２２】
ボタン操作部４には、電源ボタンやチャンネル切換ボタン，音量調整ボタン，表示切換ボタン，明るさ調整ボタンなどの操作ボタンが設けられている。これら操作ボタンはフロントパネル２の下面に横方向に配列されて設けられており、指先で上方向に押し込むようにして操作される。
【００２３】
また、リモコン受光窓５や明るさ検出窓６，発光窓７は、フロントパネル２の上記エリア内の前面に設けられている。フロントパネル２の内側には、このリモコン受光窓５に対向して、リモコン受光部（赤外線センサ）が設けられており、図示しないリモコンからの赤外線はこのリモコン受光窓５を介してリモコン受光部で受光される。同様にして、フロントパネル２の内側には、明るさ検出窓６に対向して、明るさセンサが設けられており、このフラットパネルディスプレイ装置１の前側の明るさ（例えば、このフラットパネルディスプレイ装置１が設置されている室内の明るさ）を明るさ検出窓６を介して検出し、この検出出力に応じて表示画面３で表示される画面の明るさが調整される。さらに、フロントパネル２の内側には、発光窓７に対向してフラットパネルディスプレイ装置１が電源オンとなることによって発光するＬＥＤ（発光ダイオード）が設けられており、このＬＥＤからの光が発光窓７から出光させることにより、フラットパネルディスプレイ装置１が稼働していることが示される。
【００２４】
図２は図１でのフラットパネルディスプレイ装置１を形成するフロントパネル２の内側における各部品の配置を概略的に示す平面図であって、８は表示機構収納筐体、９はコントロール部、１０は操作ボタンユニット、１１はコントロール基板、１２は信号処理基板、１３はタイミングコントローラ、１４はインバータ、１５は電源基板である。
【００２５】
同図において、フロントパネル２の内側には、表示画面３（図１）が設けられるその開口部を塞ぐようにして、液晶やプラズマなどの表示パネルやバックライトなどの表示画面３を構成する部品を収納した表示機構収納筐体８が設けられており、フロントパネル２の内側の表示機構収納筐体８から外れた右下角部にコントロール部９が設けられている。このコントロール部９の位置が、図１でのボタン操作部４やリモコン受光窓５，明るさ検出窓６，発光窓７が配置されている位置に対応する。
【００２６】
コントロール部９は、電源ボタンやチャンネル切換ボタン，音量調整ボタン，表示切換ボタンなどの操作ボタンが設けられている操作ボタンユニット１０と、かかる操作ボタンユニット１０での操作ボタンの操作によってオン／オフ動作するスイッチや、上記のリモコン受光部や明るさセンサ，ＬＥＤが設けられており、さらに、信号処理基板１２からの信号線を接続するためのコネクタなどが設けられているコントロール基板１１とから構成されている。
【００２７】
また、表示機構収納筐体８上には、受信した放送番組信号や録画装置からの再生信号、さらに、コントロール部９の各部からのコントロール信号を処理する信号処理基板１２や表示パネルを駆動するためのタイミングコントローラ１３，バックライトの電源としてのインバータ１４、フラットパネルディスプレイ装置１の各部の電源回路を搭載した電源基板１５などが設けられている。
【００２８】
図３は図２におけるコントロール部９の一具体例の概略構成を示す斜視図であって、１０ａは上面、１０ｂは下面であり、図２に対応する部分には同一符号をつけて重複する説明を省略する。
【００２９】
同図（ａ）において、コントロール部９は概略細長い四角形状の箱型をなす操作ボタンユニット１０とコントロール基板１１とからなるものであって、これらは別体の部品であり、かつ操作ボタンユニット１０の上面１０ａ側に設けられた図示しない差し込み部にコントロール基板１１を差し込むことにより、図３（ｂ）に示すように、これら操作ボタンユニット１０とコントロール基板１１とが一体となったコントロール部９が形成される。かかるコントロール部９が、図２に示すように、フロントパネル２の内側の図示する位置にに取り付けられる。
【００３０】
従って、このフラットパネルディスプレイ装置１では、そのフロントパネル２（図２）において、操作ボタンユニット１０が水平に配置され、この操作ボタンユニット１０の上面１０ａから垂直にコントロール基板１１が配置されることになる。また、操作ボタンユニット１０の下面１０ｂ側に各種の操作ボタンが設けられている。
【００３１】
図４は図３におけるコントロール基板１１の一具体例を示す平面図であって、１６はボタンスイッチ、１７はリモコン受光部、１８は明るさセンサ、１９はＬＥＤ、２０はコンセント、２１はプラグ、２２は信号線である。
【００３２】
同図において、コントロール基板１１には、操作ボタンユニット１０（図３）への差し込み側の辺に沿って、操作ボタンユニット１０での電源ボタンやチャンネル切換ボタン，音量調整ボタン，表示切換ボタンなどの複数の操作ボタンの夫々に対応する複数のボタンスイッチ１６が配設されて設けられており、また、他方の辺側には、リモコン受光部１７や明るさセンサ１８，ＬＥＤ１９，コンセント２０が設けられている。
【００３３】
これらボタンスイッチ１６夫々の信号線やリモコン受光部１７の信号線，明るさセンサ１８の信号線，ＬＥＤ１９の信号線はコントロール基板１１上でコンセント２０に配線され、信号処理基板１２（図２）からの信号線２２の先端に設けられたプラグ２１をこのコンセント２０に差し込むことにより、これらボタンスイッチ１６，リモコン受光部１７，明るさセンサ１８及びＬＥＤ１９が信号線を介して信号処理基板の回路に接続される。なお、これらコンセント２０及びプラグ２１は、ボタンスイッチ１６から信号処理基板１２への信号線，リモコン受光部１７から信号処理基板１２への信号線，及び明るさセンサ１８から信号処理基板１２への信号線及びＬＥＤ１９から信号処理基板１２への信号線夫々に共通に用いられているものである。
【００３４】
図５は図３における操作ボタンユニット１０の一具体例を示す外観斜視図であって、同図（ａ）はその斜視図、同図（ｂ）はその前面図であり、１０ｃは前面、２３は開口部、２４は操作ボタンである。なお、同図（ｂ）はコントロール基板１１が取り付けられた状態を示しており、また、図３に対応する部分には同一符号をつけて重複する説明を省略する。
【００３５】
同図（ａ），（ｂ）において、操作ボタンユニット１０は、そのケースの前面１０ｃ（この操作ボタンユニット１０が、図２に示すように、フロントパネル２の内側に取り付けられたとき、この操作ボタンユニット１０のケースのフロントパネル２側とは反対側の面）からケースの下面１０ｂにわたる開口部２３が、この操作ボタンユニット１０に設けられる操作ボタンの個数に等しい個数、設けられており、夫々の開口部２３で、先端がこの開口部２３から外部に、即ち、下方に突出するようにして、夫々の操作ボタン２４が設けられている。かかる操作ボタン２４のかかる先端部を指先で加圧することにより、この先端部がその開口部２３内に押し込まれる。
【００３６】
図６は図５（ｂ）の分断線Ａ−Ａに沿う断面図であって、１０ｄは背面、２５はボタン支持部材、２６は薄肉部、２７はスイッチ押圧部材であり、前出図面に対応する部分には同一符号を付けて重複する説明を省略する。
【００３７】
同図において、操作ボタンユニット１０のケースの開口部２３では、このケースの下面１０ｂ（図５（ａ））に平行にほぼ矩形状のボタン支持部２５が設けられ、このボタン支持部２５でのケースの下面１０ｂ側の面に操作ボタン２４が、その反対側の面に矩形板状のスイッチ押圧部材２７が夫々設けられている。この操作ボタンユニット１０にコントロール基板１１が差し込まれて嵌め込まれたときには、スイッチ押圧部材２７は、コントロール基板１１上のこの操作ボタン２４に対応するボタンスイッチ１６に近接して対向した位置にある。
【００３８】
ボタン支持部２５は、その操作ボタン２４よりもケースの背面側に屈折可能な薄肉部２６を有している。
【００３９】
そこで、操作ボタン２４が指先でもって矢印Ｂ方向に加圧されると、薄肉部２６が屈折し、これにより、ボタン支持部２５が薄肉部２６を支点として矢印Ｃ方向に回動する。かかる動作により、操作ボタン２４は、指先による矢印Ｂ方向の加圧により、その矢印Ｂ方向に、即ち、開口部２３内に押し込まれることになる。
【００４０】
このように、操作ボタン２４が押し込まれると、ボタン支持部２５に設けられた板状のスイッチ押圧部材２７も回動して矢印Ｄ方向に移動し、これにより、スイッチ押圧部材２７はこれに近接したボタンスイッチ１６を押すことになる。
【００４１】
操作ボタン２４から指先を離し、操作ボタン２４への押圧力を解除すると、ボタン指示部２５の弾性力により、元の状態に戻ることになる。これにより、ボタン支持部材２５は、薄肉部２６を支点として、上記とは逆の方向に回動し、スイッチ押圧部材２７がボタンスイッチ１６から離れて図示する状態に戻る。
【００４２】
このようにして、フラットパネルディスプレイ装置１のフロントパネル２の下面に設けられた操作ボタン２４を指先で操作することができる。
【００４３】
なお、このような操作ボタン２４は、図１において、フラットパネルディスプレイ装置１のフロントパネル２の左下角部の下面に配列して設けられるが、かかる操作ボタン２４の位置及び夫々の機能を明確にし、操作しようとする操作ボタン２４を操作者が容易に探し出せるようにするために、このフロントパネル２の左下角部の夫々の操作ボタン２４の対応する場所に、その機能を表わす文字やマークが印刷されている。
【００４４】
また、上記実施形態では、図１に示すように、コントロール部９（図２）がフラットパネルディスプレイ装置１のフロントパネル２の左下隅に配置され、操作ボタン２４がこのフロントパネル２の下面左端部でこの下面から突出して配置されているが、これに限るものでなく、他の場所、例えば、フロントパネル２の下面の右端部，上面や左右側面などの所定の場所で突出するように設けてもよい。
【００４５】
さらに、この実施形態では、図２に示すように、コントロール部９がフロントパネル２に取り付けられたときには、リモコン受光部１７や明るさセンサ１８，ＬＥＤ１９はフラットパネルディスプレイ装置１の前方側を向いていなければならないから、図４で図示するように、コントロール基板１１の同一面にボタンスイッチ１６とリモコン受光部１７，明るさセンサ１８とＬＥＤ１９とが配置されているときには、図６において、指先は図面上左側から操作ボタン２４にタッチすることになる。
【００４６】
しかし、図６において、指先が図面上右側から操作ボタン２４にタッチするようにすることもできる。但し、この場合には、リモコン受光部１７，明るさセンサ１８及びＬＥＤ１８は、コントロール基板１１のボタンスイッチ１６が設けられている面とは反対側の面に配置されることになる。
【００４７】
図７は図２におけるコントロール部９でのコントロール基板１１と操作ボタンユニット１０との係止状態を示す図であって、同図（ａ）は組立て前の状態を、同図（ｂ）組立て後の掛け止め状態を夫々示すものであり、２８，２９はガイド突起、３０は取付ボス、３１は固定穴、３２は取付ネジである。なお、前出図面に対応する部分には同一符号をつけて重複する説明を省略する。
【００４８】
図７（ａ）において、コントロール基板１１は、操作ボタンユニット１０に差し込まれて仮止め固定されており、かかる状態でコントロール基板１１と操作ボタンユニット１０とがフロントパネル２に取り付けられる。フロントパネル２には、ガイド突起２８，２９が設けられており、これらのガイド突起２８，２９に案内されて操作ボタンユニット１０の取付け位置が決められる。コントロール基板１１が操作ボタンユニット１０に、上記のように、固定された状態でフロントパネル２に取り付けられると、コントロール基板１１に設けられた固定穴３１がフロントパネル２側の取付ボス３０に一致し、かかる状態で、取付ネジ３２を用いてネジ止め掛止することにより、コントロール基板１１と操作ボタンユニット１０とを同時にフロントパネル２に掛止させることができる。
【００４９】
図７（ｂ）はこのようにしてコントロール基板１１と操作ボタンユニット１０とがフロントパネル２に掛止された状態を示すものであって、かかる状態では、操作ボタンユニット１０は、フロントパネル２に設けられたガイド突起２８，２９によって回転が規制され、また、装置外部や装置背面方向への移動がコントロール基板１１によって規制される。このようにして、コントロール基板１１をフロントパネル２に掛止して固定することにより、操作ボタンユニット１０も同時にフロントパネル２に固定されることになる。
【００５０】
以上のように、この実施形態では、各種の操作ボタン２４やリモコン受光部１７，明るさセンサ１８，ＬＥＤ１９が同じコントロール部９に設けられて同じ領域にまとめて配置され、しかも、これらリモコン受光部１７と明るさセンサ１８とＬＥＤ１９とをボタンスイッチ１６と同じコントロール基板１１に設け、このコントロール基板１１からボタンスイッチ１６や操作ボタン２４，リモコン受光部１７，明るさセンサ１８，ＬＥＤ１９の信号線がまとめて信号処理基板１２に送られる構成をなしているものであるから、従来適宜の位置に配置されていたこれら操作ボタン２４やボタンスイッチ１６，リモコン受光部１７，明るさセンサ１８，ＬＥＤ１９の設置に共通の部品を用いることができて、部品点数を大幅に低減することができ、また、操作ボタン２４やボタンスイッチ１６，リモコン受光部１７，明るさセンサ１８，ＬＥＤ１９の取り付け作業を同時に行なうことができるし、これらからの信号処理基板１２への配線作業も同時に行なうことができて、作業の手間を大幅に低減することができる。
【符号の説明】
【００５１】
１  フラットパネルディスプレイ装置
２  フロントパネル
３  表示画面
４  ボタン操作部
５  リモコン受光窓
６  明るさ検出窓
７  発光窓
８  表示機構収納筐体
９  コントロール部
１０  操作ボタンユニット
１０ａ  上面
１０ｂ  下面
１０ｃ  前面
１０ｄ  背面
１１  コントロール基板
１２  信号処理基板
１３  タイミングコントローラ
１４  インバータ
１５  電源基板
１６  ボタンスイッチ
１７  リモコン受光部
１８  明るさセンサ
１９  ＬＥＤ
２０  コンセント
２１  プラグ
２２  信号線
２３  開口部
２４  操作ボタン
２５  ボタン支持部材
２６  薄肉部
２７  スイッチ押圧部材
２８，２９  ガイド突起
３０  取付ボス
３１  固定穴
３２  取付ネジ
【図１】
2010206627.tif 000003
【図２】
2010206627.tif 000004
【図３】
2010206627.tif 000005
【図４】
2010206627.tif 000006
【図５】
2010206627.tif 000007
【図６】
2010206627.tif 000008
【図７】
2010206627.tif 000009